(57)【特許請求の範囲】
【請求項１】
ＡＬＣ外壁（１）とＡＬＣ天板パネル（３）と窓サッシ（５）とによって開口部（Ａ）を有する凹凸壁が構成されている凹凸壁構造であって、
前記ＡＬＣ天板パネル（３）の短辺小口面（３ａ）が、前記開口部（Ａ）の側面を構成する前記ＡＬＣ外壁（１）の壁面に直接固定された天板パネル取付け部材（４）を介して取り付けられており、
前記窓サッシ（５）が、前記ＡＬＣ外壁（１）の壁面に直接固定された窓サッシ取付け部材（６）を介して取り付けられており、
前記ＡＬＣ天板パネル（３）の短辺小口面（３ａ）と前記ＡＬＣ外壁（１）の壁面とは平行であることを特徴とするＡＬＣの開口部を有する凹凸壁構造。
【請求項２】
前記天板パネル取付け部材（４）は山形鋼であり、該山形鋼の一辺（４ａ）が前記ＡＬＣ外壁（１）の壁面に当接しており、該山形鋼の他辺（４ｂ）が前記ＡＬＣ天板パネル（３）の壁面に当接している請求項１記載のＡＬＣの開口部を有する凹凸壁構造。
【請求項３】
前記ＡＬＣ外壁（１）には、一片が前記ＡＬＣ外壁（１）の下部小口面に当接し他片が前記ＡＬＣ外壁（１）の壁面に当接する定規アングルが設けられるとともに、前記他片に係合するイナズマプレートを介して前記ＡＬＣ外壁（１）の内部の埋設アンカー（９）に係止されることにより建て込まれている請求項１又は２記載のＡＬＣの開口部を有する凹凸壁構造。
【請求項４】
前記天板パネル取付け部材（４）は山形鋼であり、該山形鋼の一辺（４ａ）が前記ＡＬＣ天板パネル（３）の短辺小口面（３ａ）に面しており、該山形鋼の他辺（４ｂ）が前記ＡＬＣ天板パネル（３）の上側壁面に当接している請求項２又は３記載のＡＬＣの開口部を有する凹凸壁構造。
【請求項５】
前記天板パネル取付け部材（４）は山形鋼であり、前記ＡＬＣ外壁（１）の天板パネル（３）の取付け位置の内部には補強鉄筋に固定されたアンカーが埋設されて、前記天板パネル（３）が前記ＡＬＣ外壁（１）に前記山形鋼およびボルトを介して取付けられている請求項２、３又は４記載のＡＬＣの開口部を有する凹凸壁構造。
【請求項６】
前記天板パネル取付け部材（４）は山形鋼であり、前記山形鋼の一辺（４ａ）は前記ＡＬＣ外壁（１）を貫通する縫いボルト（７）で、前記ＡＬＣ外壁（１）の壁面に直接固定されている請求項２、３又は４記載のＡＬＣの開口部を有する凹凸壁構造。
【請求項７】
前記ＡＬＣ天板パネル（３）は前記山形鋼に縫いボルト（７）によって吊持状態に固定されている請求項４、５又は６記載のＡＬＣの開口部を有する凹凸壁構造。
【請求項８】
縦補強アングル（１１）に腰壁アングル（１２）を溶接固定し、それに腰壁（８）を嵌め込んで、前記開口部（Ａ）の下部に凹部空間（Ｂ）が形成されている請求項１〜７のいずれか一項に記載のＡＬＣの開口部を有する凹凸壁構造。
【請求項９】
前記窓サッシ取付け部材（６）は平鋼である請求項１〜８のいずれか一項に記載のＡＬＣの開口部を有する凹凸壁構造。
【発明の詳細な説明】
【０００１】
【産業上の利用分野】
本発明は、ＡＬＣパネルによって構成される開口部を有する凹凸壁構造に関する。詳しくはＡＬＣ壁の開口部を形成するＡＬＣ天板パネル（以下、天板パネルという）およびさサッシが躯体などに固定する長尺な開口補強鋼材を用いることなく簡単な取付け部材および構造によってＡＬＣ壁面に直接的に取り付けられているＡＬＣの開口部を有する凹凸壁構造に関するものである。
【０００２】
【従来の技術】
マンションなどの共同住宅において、玄関隣りの居間室の通路側にエアコンの室外機設置用スペースあるいは小物置場として腰壁を有する凹部空間を形成するニーズが高まっている。
【０００３】
一方、ＡＬＣパネルは、一般のコンクリートパネルよりも荷重耐力が小さいため、ＡＬＣパネルによって建てられるマンションにおいては、図４に示すような通路側に上記のような開口部Ａおよびその下部に凹部空間Ｂを構成する凹凸壁を構成する構法においても、ＡＬＣパネルに荷重を負担させないようにするＡＬＣパネル取付けの標準構法を採用している。
【０００４】
すなわち、ＡＬＣ外壁１とＡＬＣ天板パネル３と窓サッシ５とによって開口部Ａを有する凹凸壁を構成する際、図４に示すように、長尺な開口補強鋼材２０を予め建物躯体（図示せず）に縦方向に溶接固定し、その開口補強鋼材２０の所定高さの位置に横方向のアングル２１を設けて枠２２を形成し、その枠２２にＡＬＣ天板パネル３を取り付け、また開口補強鋼材２０に窓サッシ５を取り付ける構法である。
【０００５】
このようにして、開口部Ａの風圧などの荷重をＡＬＣ外壁１に直接負担させずに長尺アングル２０や横方向のアングル２１に負担させるようにして、ＡＬＣパネルを取り付けて凹凸壁を形成させる構法である。
【０００６】
【発明が解決しようとする課題】
その結果、長尺アングル２０や枠２２用のアングル２１等の使用材料が多く、かつ溶接作業も多いため施工効率が悪くコスト高になり、また長尺アングルは建物外部に露出する部分が多いため発錆防止を施す必要もあって、ＡＬＣパネルのマンション等の建物においては、通路側に上記のような開口部を有する凹凸壁は、ニーズが有るにもかかわらずあまり採用され難いという問題点があった。
【０００７】
そこで、本発明者は、ＡＬＣパネルは開口部の窓にかかる風圧や天板パネル上の置物などの荷重程度は面内方向の荷重に対して十分な耐力を有していることを推察し、種々検討した結果、その開口部を形成する凹凸壁の部分はＡＬＣパネルの標準構法を採用しなくとも他の構法でも十分な荷重耐力を有することを見いだし、本発明に至った。
【０００８】
すなわち、本発明の課題は、ＡＬＣパネルを使用する建物において、開口部を有する凹凸壁を、建物躯体に長尺アングルを溶接固定するＡＬＣの標準構法を採用せずに、容易に施工可能でかつ使用材料も少なく安価に構築可能で、またその開口部下部に凹部空間を容易に形成することができるＡＬＣの開口部を有する凹凸壁構造を提供することにある。
【０００９】
【課題を解決するための手段】
かかる課題は、ＡＬＣ外壁とＡＬＣ天板パネルと窓サッシとによって開口部を有する凹凸壁が構成されている凹凸壁構造であって、前記ＡＬＣ天板パネルの短辺小口面が、前記開口部の側面を構成する前記ＡＬＣ外壁の壁面に直接固定された天板パネル取付け部材を介して取り付けられており、前記窓サッシが、前記ＡＬＣ外壁の壁面に直接固定された窓サッシ取付け部材を介して取り付けられており、前記ＡＬＣ天板パネルの短辺小口面と前記ＡＬＣ外壁の壁面とは平行である開口部を有する凹凸壁構造によって達成される。
【００１０】
【作用】
本発明においては、山形鋼や平鋼などの天板パネルおよび窓サッシ取付け部材をＡＬＣ外壁に対して直接固定させ、これらの取付け部材を介して、天板パネルおよびサッシを取り付けることにより、天板パネルおよびサッシにかかる風圧や天板パネル上の置物などの荷重を、ＡＬＣ外壁に負担させるようにしたものである。それによってＡＬＣパネルの標準構法において用いられる長尺アングルを省略することが可能になる。
【００１１】
したがって、建物躯体への長尺アングルの溶接作業を少なくできるため施工効率が向上し、また長尺アングルや開口補強材などの材料も少なくて済むようになる。さらにＡＬＣ外壁に対する天板パネルの取付けも容易になり、開口部下部に凹部空間を容易に形成することができるようになる。
【００１２】
【発明の実施の形態】
以下、本発明の実施例を図に基づいて説明する。なお、符号は従来例と同一のものは同一符号を付した。
図１は本発明のＡＬＣの開口部を有する凹凸壁構造の１実施例の斜視図である。図１において、１は開口部Ａの側壁の一方を構成しているＡＬＣ外壁であり、これを構成しているＡＬＣパネル１ａは内部に補強鉄筋（図示せず）が埋設されているとともにその補強鉄筋にアンカーが固定されている。２は開口部Ａの他方の側壁を構成しているコンクリート外壁、３は開口部ＡのＡＬＣの天板パネル、４はＡＬＣ外壁１およびコンクリート外壁２と天板パネル３との目地部に設置固定された山形鋼、５は開口部Ａに設置された窓サッシ、６はＡＬＣ外壁１および天板パネル３に固定された平鋼から成る窓サッシ取付け部材、７は縫いボルト、８はＡＬＣ腰壁である。
【００１３】
ＡＬＣ外壁１は、その上下に定規アングル（図示せず）が設けられているとともに、イナズマプレートを介してパネル内部の埋設アンカー９に係止されて建て込まれている。そして図２および図３に示すように、ＡＬＣ外壁１と天板パネル３との間には山形鋼４が設置されており、その一辺４ａが天板パネル３の一方の小口面３ａに面しているとともに、縫いボルト７によってその背面がＡＬＣ外壁１面に直接固定されている。また、コンクリート外壁２側の山形鋼４は、その一辺４ａが天板パネル３の一方の小口面３ａに面しているとともに、その背面がコンクリート外壁２に複数個の後施工アンカー１０によって直接固定されている。なお、縫いボルト７はいずれもＡＬＣパネルを貫通するとともに、パネルの座掘り部１３にはモルタル等が充填されている。
【００１４】
また、天板パネル３の両側の山形鋼４の他辺４ｂは、天板パネル３の室内側表面に当接しているとともに、その他辺４ｂが縫いボルト７によって天板パネル３を吊り下げるような状態で吊持している。なお、このＡＬＣ天板パネルは山形鋼にパネル内の埋設アンカー（図示せず）を利用しても吊持可能であり、この場合引抜き耐力が増大するためより好ましい。
そして、この天板パネル３の室内側端部の下部には所定高さのＡＬＣ腰壁８が建て込まれて、ＡＬＣ外壁１とコンクリート外壁２とによって天板パネル３の奥行き幅の凹部空間Ｂが形成されている。なお、このＡＬＣ腰壁８は、図２および図３に示すように、ＡＬＣ外壁１の縦目地部に設けられた縦補強アングル１１に対して溶接固定された腰壁用アングル１２によって固定されている。
【００１５】
以上のように、天板パネル３はＡＬＣ外壁１にその面に直接固定されている山形鋼４を介して取り付けられているため、開口部Ａに加わる風圧あるいは天板パネル３上に置かれる置物のなどの荷重は、この山形鋼４を介してＡＬＣ外壁１またはコンクリート外壁２が負担するようになっている。また、山形鋼４の各辺４ａ、４ｂは外部に露出せずに室内側に位置しているため、雨などによる発錆が少なく、したがってその発錆防止も簡易なもので済むようになる。
【００１６】
ＡＬＣ外壁１の壁面および天板パネル３の表面には、平鋼の鋼材から成る窓サッシ取付け部材６が縫いボルト７によって直接固定されている。そして、図３に示すように、窓サッシ５はその窓サッシ取付け部材６に固定されている。したがって、開口部Ａの窓サッシ５に加わる風圧は、上記の山形鋼４と共にこの窓サッシ取付け部材６を介してもＡＬＣ外壁１またはコンクリート外壁２が負担するようになっている。
【００１７】
なお、本発明において、ＡＬＣ外壁１は実施例のように、内部に補強鉄筋が埋設されているとともに、その補強鉄筋にアンカーが埋設固定されているＡＬＣパネル１ａで構成されていると、ＡＬＣパネルの取付け部強度が大きくなるため本発明の目的がより確実に達成される。また、そのＡＬＣパネル１ａの天板パネル３の取付け位置の内部にも同様に補強鉄筋に固定されたアンカーが埋設されて、天板パネル３がＡＬＣ外壁１に山形鋼４およびボルト等を介して取付けられていることが、耐力向上の点でより望ましい。
【００１８】
窓サッシ取付け部材６は実施例のように平鋼であるとスペースおよび材料費用の面で有利となるが、これに限定されない。また山形鋼４は必ずしも等辺でなくとも良い。さらに、開口部Ａの側面の壁は、実施例では片側のみＡＬＣ外壁１としたが、両側共ＡＬＣ外壁から構成されていても良い。
【００１９】
その他、天板パネル３取付け用の山形鋼４と平鋼などの窓サッシ取付け部材６とを独立にしないで各端部を連結させても良く、その場合は耐力が増大するためより好ましい。さらに、開口部Ａの上部の材料も限定されず、同様な天板パネルとしたＡＬＣパネルで構成されていてもよい。
【００２０】
次に、本発明のＡＬＣの開口部を有する凹凸壁構造を構築する際の施工手順の１例を述べる。
第１手順は、ＡＬＣ外壁１を形成させるために、ＡＬＣパネル１ａの上下に定規アングルおよびイナズマプレートを取り付けるとともに、ＡＬＣ外壁１の縦目地部に縦補強アングル１１を取り付ける。
第２手順は、このＡＬＣ外壁１を建て込んだ後、その縦補強アングル１１に腰壁用アングル１２を溶接固定し、それにＡＬＣ腰壁８を嵌め込んで取り付ける。第３手順は、ＡＬＣ外壁１面に山形鋼４を縫いボルト７によって直接固定するとともに、コンクリート外壁２面にも山形鋼４を後施工アンカー１０によって直接固定する。
第４手順は、天板パネル３を山形鋼４に縫いボルト７で取り付け、天板パネル３の表面とＡＬＣ外壁１面とに窓サッシ取付け部材６を取り付ける。
第５手順は、窓サッシ取付け部材６に窓サッシ５を取付ける。
【００２１】
【本発明の効果】
本発明によれば、ＡＬＣパネル使用による建物において、開口部を有する凹凸壁を、建物躯体に対して開口部の全周囲に長尺な開口補強材を溶接固定するＡＬＣの標準構法を採用せずに形成することができるため、施工が容易でかつ溶接作業が少なくて済み、さらに使用材料も少ないため安価に構築でき、またその開口部下部にエアコン室外機設置用の凹部空間を容易に形成することができる。また、ＡＬＣ外壁として、請求項５に示すようなアンカー埋設ＡＬＣ外壁を用いると、より大きな荷重に耐え得るようになる。
【図面の簡単な説明】
【図１】本発明のＡＬＣの開口部を有する凹凸壁構造の１実施例を示す斜視図。
【図２】図１の平面図。
【図３】図１の縦断面図。
【図４】従来のＡＬＣの開口部を有する凹凸壁構造の１実施例を示す斜視図。
【符号の説明】
Ａ  開口部
Ｂ  凹部空間
１  ＡＬＣ外壁
１ａ  ＡＬＣパネル
２  コンクリート外壁
３  ＡＬＣ天板パネル
４  山形鋼
５  窓サッシ
６  窓サッシ取付け部材
７  縫いボルト
８  ＡＬＣ腰壁
９  埋設アンカー
１０  後施工アンカー
【図１】
0004166375.tif 000002
【図２】
0004166375.tif 000003
【図３】
0004166375.tif 000004
【図４】
0004166375.tif 000005